(57)【要約】 【課題】表示機能を備えた放送受信装置の電源状態に応じて視聴者の嗜好に応じた番組情報の表示先を選択することが可能な表示制御装置を提供する。【解決手段】表示制御装置は、放送受信装置から視聴者の嗜好情報を取得する嗜好情報取得手段と、サーバからネットワークを介して嗜好情報に合致した嗜好対象番組の番組情報を取得する番組情報取得手段と、少なくとも番組情報を表示する表示手段と、放送受信装置の電源状態を確認する電源監視手段と、番組情報の表示先を選択する表示先選択手段を備え、表示先選択手段は、放送受信装置の電源が通電状態であれば、表示手段による表示を停止させるように制御するとともに放送受信装置に番組情報を送信して表示させ、放送受信装置の電源が切断状態であれば、表示手段による表示を開始させるように制御する。【選択図】図１
2010251888.tif 000002
【特許請求の範囲】
【請求項１】
ネットワークを介してサーバに接続されるとともに、表示機能を備えた放送受信装置に対して番組情報を送信して表示させる表示制御装置であって、
前記放送受信装置から視聴者の嗜好情報を取得する嗜好情報取得手段と、
前記サーバから前記ネットワークを介して、前記嗜好情報に合致した嗜好対象番組の放送開始日時や内容を含む番組情報を取得する番組情報取得手段と、
前記放送受信装置の電源状態を確認する電源監視手段と、
少なくとも前記番組情報を表示する表示手段と、
前記番組情報の表示先を選択して表示させる表示先選択手段を備え、
前記表示先選択手段は、前記電源監視手段において前記放送受信装置の電源が通電状態であることが確認された場合には、前記表示手段の表示を停止させるように制御するとともに、前記放送受信装置に対し前記番組情報を送信して表示させ、前記電源監視手段において前記放送受信装置の電源が切断状態であることが確認された場合には、前記表示手段に対し前記番組情報の表示を開始させるように制御することを特徴とする表示制御装置。
【請求項２】
前記表示手段を内蔵せず自装置の外部に備えていることを特徴とする請求項１記載の表示制御装置。
【請求項３】
前記嗜好情報取得手段は、前記放送受信装置から視聴者の視聴履歴に関する情報を取得し、取得した前記視聴履歴に関する情報を基にして視聴者の前記嗜好情報を抽出して取得することを特徴とする請求項１または２記載の表示制御装置。
【請求項４】
前記番組情報取得手段は、前記サーバから前記ネットワークを介して、視聴者の嗜好対象番組候補の放送開始日時や内容を含む前記番組情報を取得し、前記嗜好対象番組候補を基に嗜好対象番組を抽出して前記嗜好対象番組の放送開始日時や内容を含む前記番組情報を抽出して取得することを特徴とする請求項１乃至３のいずれかに記載の表示制御装置。
【請求項５】
前記表示先選択手段は、前記番組情報を表示させるタイミングを前記嗜好対象番組の放送開始時刻に連動させることを特徴とする請求項１乃至４のいずれかに記載の表示制御装置。
【請求項６】
前記表示先選択手段は、前記番組情報を前記放送受信装置に表示させる場合、前記番組情報のみを表示させるか、あるいは前記放送受信装置が受信している放送番組と同時に表示させるかを制御することを特徴とする請求項１乃至５のいずれかに記載の表示制御装置。
【請求項７】
前記表示先選択手段は、前記電源監視手段において前記放送受信装置の電源が切断状態であることが確認された場合には、前記表示手段および前記放送受信装置のいずれにも前記番組情報を表示させないように制御することを特徴とする請求項１乃至５のいずれかに記載の表示制御装置。
【請求項８】
ネットワークを介してサーバから番組情報を取得するとともに、表示機能を備えた放送受信装置に対して前記番組情報を送信して表示させる表示制御方法であって、
前記放送受信装置から視聴者の嗜好情報を取得する嗜好情報取得ステップと、
前記サーバから前記ネットワークを介して、前記嗜好情報に合致した嗜好対象番組の放送開始日時や内容を含む番組情報を取得する番組情報取得ステップと、
前記放送受信装置の電源状態を確認する電源監視ステップと、
少なくとも前記番組情報を表示する表示ステップと、
前記番組情報の表示先を選択して表示させる表示先選択ステップを備え、
前記表示先選択ステップは、前記電源監視ステップにおいて前記放送受信装置の電源が通電状態であることが確認された場合には、前記表示ステップにおける表示を停止させるように制御するとともに、前記番組情報の表示先として前記放送受信装置を選択し、前記放送受信装置に対し前記番組情報を送信して表示させ、前記電源監視ステップにおいて前記放送受信装置の電源が切断状態であることが確認された場合には、前記表示ステップにおいて前記番組情報の表示を開始させるように制御することを特徴とする表示制御方法。
【請求項９】
前記嗜好情報取得ステップにおいては、前記放送受信装置から視聴者の視聴履歴に関する情報を取得し、取得した前記視聴履歴に関する情報を基にして視聴者の前記嗜好情報を抽出して取得することを特徴とする請求項８記載の表示制御方法。
【請求項１０】
前記番組情報取得ステップにおいては、前記サーバから前記ネットワークを介して、視聴者の嗜好対象番組候補の放送開始日時や内容を含む前記番組情報を取得し、前記嗜好対象番組候補を基に嗜好対象番組を抽出して前記嗜好対象番組の放送開始日時や内容を含む前記番組情報を抽出して取得することを特徴とする請求項８または９記載の表示制御方法。
【請求項１１】
前記表示先選択ステップにおいては、前記番組情報を表示するタイミングを前記嗜好対象番組の放送開始時刻に連動させることを特徴とする請求項８乃至１０のいずれかに記載の表示制御方法。
【請求項１２】
前記表示先選択ステップにおいては、前記番組情報を前記放送受信装置に表示させる場合、前記番組情報のみを表示させるか、あるいは前記放送受信装置が受信している放送番組と同時に表示させるかを制御することを特徴とする請求項８乃至１１のいずれかに記載の表示制御方法。
【請求項１３】
前記表示先選択ステップにおいては、前記電源監視ステップにおいて前記放送受信装置の電源が切断状態であることが確認された場合には、前記表示ステップおよび前記放送受信装置のいずれにおいても前記番組情報を表示させないことを特徴とする請求項８乃至１２のいずれかに記載の表示制御方法。
【請求項１４】
ネットワークを介してサーバから番組情報を取得するとともに、表示機能を備えた放送受信装置に対して前記番組情報を送信して表示させる表示制御方法を実現する表示制御プログラムであって、
前記放送受信装置から視聴者の嗜好情報を取得する嗜好情報取得ステップと、
前記サーバから前記ネットワークを介して、前記嗜好情報に合致した嗜好対象番組の放送開始日時や内容を含む番組情報を取得する番組情報取得ステップと、
前記放送受信装置の電源状態を確認する電源監視ステップと、
少なくとも前記番組情報を表示する表示ステップと、
前記番組情報の表示先を選択して表示させる表示先選択ステップを備え、
前記表示先選択ステップは、前記電源監視ステップにおいて前記放送受信装置の電源が通電状態であることが確認された場合には、前記表示ステップにおける表示を停止させるように制御するとともに、前記番組情報の表示先として前記放送受信装置を選択し、前記放送受信装置に対し前記番組情報を送信して表示させ、前記電源監視ステップにおいて前記放送受信装置の電源が切断状態であることが確認された場合には、前記表示ステップにおいて前記番組情報の表示を開始させるように制御することを特徴とする表示制御プログラム。
【発明の詳細な説明】
【技術分野】
【０００１】
本発明は、視聴者の嗜好にあった番組に関連する番組情報の表示に関するものである。
【背景技術】
【０００２】
近年、ユーザが視聴したい番組を見逃さないようにするための技術開発が進んでいる。
その中の１つの方法として、視聴履歴などからユーザの嗜好情報を取得し、取得したユーザの嗜好情報を基に、ユーザの嗜好にあった番組受信や番組情報の表示に関する技術の開発が行われている。
【０００３】
ユーザの嗜好にあった番組情報を表示する方法としては、番組情報を生成する表示制御端末が、サーバからは番組情報を取得し、また録画装置からはユーザの嗜好情報を取得して、ユーザの嗜好にあった番組を番組表に明示する方法がある。
【０００４】
以下に、特許文献１に開示されている従来の番組情報の表示方法について説明する。
【０００５】
表示制御端末では、放送される番組に関する番組情報をインターネット経由で番組情報サーバから取得するとともに、番組の予約の情報、番組の録画の録画結果の情報、またはユーザの嗜好を表す嗜好の情報の１以上の情報を、録画装置などユーザの操作機器から取得する。表示制御端末では、取得された情報によって特定される番組の中から、番組の放送時刻が現在時刻に最も近い番組を、番組表の表示開始時に注目すべき初期番組として選択する。そして、番組表の表示開始時に、番組表の初期番組を注目状態にして、番組表を表示させる。このように表示させることにより、ユーザに対して、ユーザの嗜好にあった番組の情報を提示することが可能となる。
【０００６】
また、ユーザがテレビジョン放送（以下、ＴＶ放送と称す）の視聴したい番組を見逃さないようにするために、視聴したい番組の放送時刻になると、自動的にチャンネルを切り替えて放送を受信し表示する、いわゆる視聴予約機能を搭載した受信機が普及している。このような視聴予約機能は、受信機の電源が入っていない状態では作動せず、せっかく視聴予約を行っていても、ユーザが視聴したい番組を見逃してしまうことがある。
【０００７】
視聴予約における番組の見逃し防止方法としては、テレビジョン装置（以下、ＴＶと称す）の電源オフ時に、視聴予約変更部が、視聴予約設定部により予め設定されていた視聴予約情報を、キャンセルするか、自動電源オン予約に変更するか、または、録画予約に変更するかの選択をユーザに促す方法がある。
【０００８】
以下に、図５を用いて、特許文献２に開示されている従来の視聴したい番組の見逃し防止方法について説明する。なお、図５は、特許文献２に開示されている従来の視聴したい番組の見逃し防止機能を搭載したＴＶのＣＰＵ（Ｃｅｎｔｒａｌ  Ｐｒｏｃｅｓｓｉｎｇ  Ｕｎｉｔ）の機能的構成を示すブロック図である。
【０００９】
図５において、ＣＰＵ５１０は、メモリ（図示せず）からＴＶ制御プログラムを読み込んで実行し、ＴＶ内部の各処理部に制御命令を出力する。さらに、ＣＰＵ５１０は、必要に応じて、番組予約設定プログラムに基づく番組予約設定処理、および、視聴予約変更プログラムに基づく視聴予約変更処理を実行する。
【００１０】
ＣＰＵ５１０は、入力信号検出部５１１と、タイマ５１２と、番組予約設定処理および視聴予約変更処理などを実行する予約情報処理部５１３とを備えている。
【００１１】
入力信号検出部５１１は、リモートコントローラ（図示せず）から入力される操作信号や、各処理部から出力される信号を検出する。タイマ５１２は、現在の年月日および時刻を計時している。予約情報処理部５１３は、視聴予約、録画予約および自動電源オン予約等の番組予約の設定や、設定された番組予約の実行および変更を行う。予約情報処理部５１３は、テレビ番組表画面表示部５１４と、番組予約設定部５１５と、番組予約実行部５１６と、視聴予約変更部５１７とを備えている。
【００１２】
テレビ番組表画面表示部５１４は、入力信号検出部５１１によりテレビ番組表表示信号が検出されると、メモリ内に格納されたＥＰＧ（電子番組表）情報を読み取り、当該ＥＰＧ情報を含んだテレビ番組表画面形成命令を、描画処理部（図示せず）に出力する。  
【００１３】
番組予約設定部５１５は、ユーザに対して番組予約の設定を促し、設定された番組予約の予約情報をメモリに記録する。番組予約設定部５１５は、番組予約画面表示部５１５１と予約情報記録部５１５２とを備えている。
【００１４】
番組予約画面表示部５１５１は、テレビ番組表画面上の番組がカーソルにより選択されると、選択された番組の番組情報をメモリ内のＥＰＧ情報から読み取り、当該番組情報を含めた番組予約画面形成命令を、描画処理部に出力する。
【００１５】
予約情報記録部５１５２は、番組予約画面上で上記いずれかの番組予約がユーザにより選択されると、選択された番組予約の種別に応じて、予約番組の予約情報をメモリに記録する。次に、予約情報記録部５１５２は、当該視聴予約番組の時間情報およびチャンネル情報を、メモリ内のＥＰＧ情報から読み取る。そして、予約情報記録部５１５２は、読み取られた時間情報およびチャンネル情報を、視聴予約情報としてメモリに記録する。
【００１６】
番組予約実行部５１６は、メモリに記録された予約情報に基づいて、番組予約を実行する。番組予約実行部５１６は、タイマセット部５１６１と予約制御部５１６２とを備えている。
【００１７】
タイマセット部５１６１は、メモリに記録されている予約情報を、直近順に並べて時系列リストを作成し、さらに、時系列リストの最直近の予約情報の放送開始時刻に達するまで、タイマ５１２が計測する日時を監視する。
【００１８】
予約制御部５１６２は、タイマ５１２が計測する日時が、視聴予約情報の放送開始時刻に達すると、まず、メモリ内の視聴予約情報を読み取り、視聴予約のチャンネル情報を取得し、チャンネル情報を含んだ選局命令を、チューナ（図示せず）に出力する。
【００１９】
さらに、録画予約情報の放送開始時刻に達すると、予約制御部５１６２は、メモリ内の録画予約情報を読み取り、録画予約の時間情報およびチャンネル情報を取得した後、チャンネル情報を含んだ選局命令および録画命令をチューナに対して出力する。
【００２０】
また、電源オン予約情報の放送時刻に達すると、予約制御部５１６２は、メモリ内の電源オン予約情報を読み取り、電源オン予約のチャンネル情報を取得し、電源オン命令をＴＶの電源回路駆動部（図示せず）に出力すると共に、チャンネル情報を含んだ選局命令をチューナに出力する。
【００２１】
視聴予約変更部５１７は、予約情報判定部５１７１と、視聴予約変更画面表示部５１７２と、予約情報書換部５１７３とを備え、必要に応じてユーザに対し視聴予約の変更を促し、ユーザにより選択された変更先に基づいて、予約情報の書換えを行う。
【００２２】
予約情報判定部５１７１は、入力信号検出部５１１により電源オフ信号が検出されると、メモリに予約情報が記録されているか否かを判定する。メモリに予約情報が記録されている場合、予約情報判定部５１７１は、予約情報を読取って、当該予約情報が視聴予約情報であるか否かを判定する。
【００２３】
視聴予約変更画面表示部５１７２は、予約情報判定部５１７１により予約情報が視聴予約情報であると判定された場合、当該視聴予約情報を含めた視聴予約画面形成命令を描画処理部に出力する。なお、視聴予約変更画面とは、視聴予約番組の番組情報を表示するとともに、視聴予約を録画予約に変更するか、自動電源オン予約に変更するか、視聴予約をキャンセルするか、または、電源オフをキャンセルするかの選択をユーザに促す表示画面である。
【００２４】
次に、予約情報書換部５１７３は、視聴予約変更画面上でユーザにより選択される視聴予約の変更先を取得する。そして、取得された変更先に応じて、視聴予約の予約情報を、録画予約情報または自動電源オン予約情報に書き直し、メモリに記録する。予約情報書換部５１７３は、メモリに記録されている全ての視聴予約の変更を完了すると、電源回路駆動部に電源オフ命令を出力する。
【００２５】
以上のように構成することにより、視聴したい番組の見逃しを防止することが可能となる。
【００２６】
また、特許文献３においては、受信した放送番組を表示する表示装置（第１の表示装置）とは別に、放送番組に関する情報を表示する第２の表示装置を備える方法が開示されているが、この第２の表示装置に番組視聴を促す情報を表示させることにより、視聴したい番組の見逃しを防止する方法も考えることができる。
【先行技術文献】
【特許文献】
【００２７】
【特許文献１】特開２００７−２６７０９３号公報
【特許文献２】特開２００７−２７８５０号公報
【特許文献３】特開２００８−１６７２６３号公報
【発明の概要】
【発明が解決しようとする課題】
【００２８】
しかしながら、特許文献１に開示されている従来の嗜好情報による番組推薦方法は、番組表に放送時間が近い嗜好番組を表示するものであるが、表示先の表示装置の電源がオフの場合、表示できないという課題があった。
【００２９】
また、特許文献２に開示されている従来の視聴したい番組の見逃し防止方法は、電源オフのタイミングで視聴予約の変更をＴＶ画面上でユーザに提示するものであり、表示装置が電源オフであっても、電源オン予約をすることで番組を表示させることは可能であるが、視聴予約した場合のみ有効であり、例えば、ユーザの嗜好情報に応じたお勧め番組などには対応できないという課題があった。
【００３０】
また、特許文献３に開示されている受信した放送番組を表示する表示装置（第１の表示装置）以外の表示装置（第２の表示装置）で番組に関する情報を表示させる従来の方法を用いて、番組の視聴促進情報などを表示させる方法では、第１の表示装置の電源状態にかかわらず第２の表示装置に番組の視聴促進情報などを表示させるので、ユーザが、第１の表示装置において、テレビ視聴時に合わせて番組に関する情報も視聴したい場合は、視聴できないという課題があった。
【００３１】
本発明は、係る課題に鑑みてなされたものであり、第１の表示装置（第１の表示手段）のほかに第２の表示装置（第２の表示手段）が存在し、ユーザの嗜好に合った番組情報を表示する場合、第１の表示装置の電源がオンの場合は第１の表示装置に番組情報を表示させ、第１の表示装置の電源がオフの場合は第２の表示装置に番組情報を表示させることにより、第１の表示装置の電源オン・オフの如何にかかわらず、ユーザの嗜好に合った番組情報の表示や、ユーザの嗜好に応じた番組の視聴促進情報などの表示についても対応することができ、さらに、ユーザが、第１の表示装置において、テレビ視聴時に合わせて番組に関する情報も視聴することを所望する場合には、番組に関する情報も視聴することが可能となる表示制御装置、表示制御方法および表示制御プログラムを提供することを目的とする。
【課題を解決するための手段】
【００３２】
上記目的を達成するために、本願の表示制御装置は、ネットワークを介してサーバに接続されるとともに、表示機能を備えた放送受信装置に対して番組情報を送信して表示させる表示制御装置であって、前記放送受信装置から視聴者の嗜好情報を取得する嗜好情報取得手段と、前記サーバから前記ネットワークを介して、前記嗜好情報に合致した嗜好対象番組の放送開始日時や内容を含む番組情報を取得する番組情報取得手段と、前記放送受信装置の電源状態を確認する電源監視手段と、少なくとも前記番組情報を表示する表示手段と、前記番組情報の表示先を選択して表示させる表示先選択手段を備え、前記表示先選択手段は、前記電源監視手段において前記放送受信装置の電源が通電状態であることが確認された場合には、前記表示手段の表示を停止させるように制御するとともに、前記放送受信装置に対し前記番組情報を送信して表示させ、前記電源監視手段において前記放送受信装置の電源が切断状態であることが確認された場合には、前記表示手段に対し前記番組情報の表示を開始させるように制御することを特徴とするものである。
【００３３】
また、本願の第２の発明の表示制御装置は、本願の第２の発明の表示制御装置において、前記表示手段を内蔵せず自装置の外部に備えていることを特徴とするものである。
【００３４】
また、本願の第３の発明の表示制御装置は、本願の第１または第２の発明の表示制御装置において、前記嗜好情報取得手段は、前記放送受信装置から視聴者の視聴履歴に関する情報を取得し、取得した前記視聴履歴に関する情報を基にして視聴者の前記嗜好情報を抽出して取得することを特徴とするものである。
【００３５】
また、本願の第４の発明の表示制御装置は、本願の第１乃至第３のいずれかの発明の表示制御装置において、前記番組情報取得手段は、前記サーバから前記ネットワークを介して、視聴者の嗜好対象番組候補の放送開始日時や内容を含む前記番組情報を取得し、前記嗜好対象番組候補を基に嗜好対象番組を抽出して前記嗜好対象番組の放送開始日時や内容を含む前記番組情報を抽出して取得することを特徴とするものである。
【００３６】
また、本願の第５の発明の表示制御装置は、本願の第１乃至第４のいずれかの発明の表示制御装置において、前記表示先選択手段は、前記番組情報を表示させるタイミングを前記嗜好対象番組の放送開始時刻に連動させることを特徴とするものである。
【００３７】
また、本願の第６の発明の表示制御装置は、本願の第１乃至第５のいずれかの発明の表示制御装置において、前記表示先選択手段は、前記番組情報を前記放送受信装置に表示させる場合、前記番組情報のみを表示させるか、あるいは前記放送受信装置が受信している放送番組と同時に表示させるかを制御することを特徴とするものである。
【００３８】
また、本願の第７の発明の表示制御装置は、本願の第１乃至第５のいずれかの発明の表示制御装置において、前記表示先選択手段は、前記電源監視手段において前記放送受信装置の電源が切断状態であることが確認された場合には、前記表示手段および前記放送受信装置のいずれにも前記番組情報を表示させないように制御することを特徴とするものである。
【００３９】
また、本願の第８の発明の表示制御方法は、ネットワークを介してサーバから番組情報を取得するとともに、表示機能を備えた放送受信装置に対して前記番組情報を送信して表示させる表示制御方法であって、前記放送受信装置から視聴者の嗜好情報を取得する嗜好情報取得ステップと、前記サーバから前記ネットワークを介して、前記嗜好情報に合致した嗜好対象番組の放送開始日時や内容を含む番組情報を取得する番組情報取得ステップと、前記放送受信装置の電源状態を確認する電源監視ステップと、少なくとも前記番組情報を表示する表示ステップと、前記番組情報の表示先を選択して表示させる表示先選択ステップを備え、前記表示先選択ステップは、前記電源監視ステップにおいて前記放送受信装置の電源が通電状態であることが確認された場合には、前記表示ステップにおける表示を停止させるように制御するとともに、前記番組情報の表示先として前記放送受信装置を選択し、前記放送受信装置に対し前記番組情報を送信して表示させ、前記電源監視ステップにおいて前記放送受信装置の電源が切断状態であることが確認された場合には、前記表示ステップにおいて前記番組情報の表示を開始させるように制御することを特徴とするものである。
【００４０】
また、本願の第９の発明の表示制御方法は、本願の第８の発明の表示制御方法において、前記嗜好情報取得ステップにおいては、前記放送受信装置から視聴者の視聴履歴に関する情報を取得し、取得した前記視聴履歴に関する情報を基にして視聴者の前記嗜好情報を抽出して取得することを特徴とするものである。
【００４１】
また、本願の第１０の発明の表示制御方法は、本願の第８または第９の発明の表示制御方法において、前記番組情報取得ステップにおいては、前記サーバから前記ネットワークを介して、視聴者の嗜好対象番組候補の放送開始日時や内容を含む前記番組情報を取得し、前記嗜好対象番組候補を基に嗜好対象番組を抽出して前記嗜好対象番組の放送開始日時や内容を含む前記番組情報を抽出して取得することを特徴とするものである。
【００４２】
また、本願の第１１の発明の表示制御方法は、本願の第８乃至第１０のいずれかの発明の表示制御方法において、前記表示先選択ステップにおいては、前記番組情報を表示するタイミングを前記嗜好対象番組の放送開始時刻に連動させることを特徴とするものである。
【００４３】
また、本願の第１２の発明の表示制御方法は、本願の第８乃至第１１のいずれかの発明の表示制御方法において、前記表示先選択ステップにおいては、前記番組情報を前記放送受信装置に表示させる場合、前記番組情報のみを表示させるか、あるいは前記放送受信装置が受信している放送番組と同時に表示させるかを制御することを特徴とするものである。
【００４４】
また、本願の第１３の発明の表示制御方法は、本願の第８乃至第１２のいずれかの発明の表示制御方法において、前記表示先選択ステップにおいては、前記電源監視ステップにおいて前記放送受信装置の電源が切断状態であることが確認された場合には、前記表示ステップおよび前記放送受信装置のいずれにおいても前記番組情報を表示させないことを特徴とするものである。
【００４５】
また、本願の第１４の発明の表示制御プログラムは、ネットワークを介してサーバから番組情報を取得するとともに、表示機能を備えた放送受信装置に対して前記番組情報を送信して表示させる表示制御方法を実現する表示制御プログラムであって、前記放送受信装置から視聴者の嗜好情報を取得する嗜好情報取得ステップと、前記サーバから前記ネットワークを介して、前記嗜好情報に合致した嗜好対象番組の放送開始日時や内容を含む番組情報を取得する番組情報取得ステップと、前記放送受信装置の電源状態を確認する電源監視ステップと、少なくとも前記番組情報を表示する表示ステップと、前記番組情報の表示先を選択して表示させる表示先選択ステップを備え、前記表示先選択ステップは、前記電源監視ステップにおいて前記放送受信装置の電源が通電状態であることが確認された場合には、前記表示ステップにおける表示を停止させるように制御するとともに、前記番組情報の表示先として前記放送受信装置を選択し、前記放送受信装置に対し前記番組情報を送信して表示させ、前記電源監視ステップにおいて前記放送受信装置の電源が切断状態であることが確認された場合には、前記表示ステップにおいて前記番組情報の表示を開始させるように制御することを特徴とするものである。
【発明の効果】
【００４６】
本発明の表示制御装置によれば、ユーザ（視聴者）は、自分嗜好にあった番組の情報を、ＴＶなどの放送受信装置が電源オン、すなわち、大画面の表示手段（第１の表示手段）が電源オンであれば第１の表示手段から、放送受信装置の電源がオフ、すなわち、第１の表示手段の電源がオフの場合は小画面の第２の表示手段から得ることが可能となり、ユーザの視聴状態に応じて番組情報を得られる効果がある。また、第１の表示手段の電源が切断状態のときには、小画面で消費電力が少ない第２の表示手段だけで表示する、あるいは、第１の表示手段の電源が通電状態のときには第２の表示手段の電源を通電状態にする必要がないことから切断状態にすることにより、ユーザは少ない消費電力で嗜好に応じた番組情報を得られる効果もある。
【図面の簡単な説明】
【００４７】
【図１】本発明の実施の形態１に係る表示制御装置、並びにＴＶおよびセンター装置の構成を示すブロック図
【図２】本発明の実施の形態１に係る表示制御装置の処理の流れを示すフローチャート
【図３】本発明の実施の形態１に係る表示制御装置が番組情報の表示タイミングを制御する場合の処理の流れを示すフローチャート
【図４】本発明の実施の形態２に係る表示制御装置の構成を示すブロック図
【図５】特許文献２に開示されている従来の視聴したい番組の見逃し防止機能を搭載したＴＶのＣＰＵの機能的構成を示すブロック図
【発明を実施するための形態】
【００４８】
以下に、本発明を実施するための最良の形態について、図面を参照しながら説明する。
【００４９】
（実施の形態１）
図１は、本発明の実施の形態１に係る表示制御装置、並びにＴＶおよびセンター装置の構成を示すブロック図である。
【００５０】
図１において、本発明の実施の形態１に係る表示制御装置１２０は、インターネットなどのネットワーク１１０などを介して他の機器（ここでは、番組情報配信システム１０２）と通信する通信部１２１と、放送を受信し表示するＴＶ１３０と通信するインタフェース部１２２と、ＴＶ１３０の電源状態を監視する特許請求の範囲に記載の電源監視手段に相当する電源監視部１２３と、ＴＶ１３０におけるユーザの嗜好情報を取得する特許請求の範囲に記載の嗜好情報取得手段に相当する嗜好情報取得部１２４と、嗜好情報取得部１２４で取得した嗜好情報を基に検索を行う検索部１２５と、検索部１２５で検索した結果を基にネットワーク上にある他の機器から番組情報を取得する特許請求の範囲に記載の番組情報取得手段に相当する番組情報取得部１２６と、番組情報の表示先を選択する特許請求の範囲に記載の表示先選択手段に相当する表示先選択部１２７と、番組情報を表示する特許請求の範囲に記載の表示手段に相当する表示部１２８からなる。
【００５１】
なお、特許請求の範囲に記載の嗜好情報取得手段に相当するのは嗜好情報取得部１２４
であるとしたが、嗜好情報取得手段は、嗜好情報取得部１２４と検索部１２５で構成されてもよいし、さらに通信部１２１を加えた構成であってもかまわない。
【００５２】
また、本発明の実施の形態１に係る表示制御装置１２０の一例としては、小型の液晶ディスプレイを備えたネットワーク通信装置などがある。
【００５３】
また、表示制御装置１２０とネットワーク１１０経由で接続されるセンター装置１００は、放送番組配信システム１０１と番組情報配信システム１０２からなるが、番組情報配信システム１０２は、センター装置１００とは別に設置されてもよい。
【００５４】
一方、表示制御装置１２０と接続される特許請求の範囲に記載の表示機能を備えた放送受信装置に相当するＴＶ１３０は、センター装置１００の放送番組配信システム１０１から放送される番組を受信してデコードする受信部１３１と、表示制御装置１２０と通信するインタフェース部１３２と、視聴履歴などからユーザの嗜好情報を抽出し管理する嗜好情報管理部１３３と、ＴＶ１３０の電源を管理する電源管理部１３４と、インタフェース部１３２から入力される情報に応じて受信部１３１でデコードした番組の表示内容を制御する表示制御部１３５と、表示制御部１３５で制御された表示内容を表示する表示部１３６からなる。
【００５５】
ＴＶ１３０において、受信部１３１が放送番組配信システム１０１から配信される放送番組を受信してデコードするが、受信してデコードされた番組に関する情報は、視聴履歴として嗜好情報管理部１３３に記録される。嗜好情報管理部１３３では、視聴履歴、視聴時間および視聴回数などの視聴履歴に関する情報から、ユーザの嗜好履歴を抽出する。        
【００５６】
受信部１３１で受信しデコードされた放送番組は、表示制御部１３５経由で表示部１３６にて表示される。電源管理部１３４は、電源の動作状態（オン、オフなど）の監視および制御を行う。
【００５７】
次に、図２を用いて、表示制御装置１２０の処理の流れを説明する。なお、図２は、本発明の実施の形態１に係る表示制御装置の処理の流れを示すフローチャートである。
【００５８】
図２において、表示制御装置１２０にて嗜好番組情報取得処理が開始されると（Ｓ２０１）、表示制御装置１２０の嗜好情報取得部１２４は、インタフェース部１２２経由で、ＴＶ１３０の嗜好情報管理部１３３からユーザの嗜好情報を取得する（Ｓ２０２）。なお、嗜好情報の取得タイミング、すなわち、嗜好情報の取得動作を開始するタイミングは特に規定しない。
【００５９】
検索部１２５では、嗜好情報取得部１２４がＴＶ１３０から取得した嗜好情報からユーザが視聴したいであろう番組（嗜好対象番組）を抽出し、通信部１２１からネットワーク１１０経由で番組情報配信システム１０２に対して、抽出した嗜好対象番組に関連する番組情報（例えば、次回の放送日時、時間、内容など）を検索する（Ｓ２０３）。この場合の検索した結果は、通信部１２１経由で番組情報取得部１２６が取得する（Ｓ２０４）。
【００６０】
ステップＳ２０４で取得した番組情報を表示する表示先を決定するために、表示制御装置１２０の電源監視部１２３は、ＴＶ１３０の電源がオンであるか否かを判定する（Ｓ２０５）。このとき、ＴＶ１３０の電源状態に関する情報は、ＴＶ１３０の電源管理部１３４からＴＶ１３０のインタフェース部１３２を経由して出力され、表示制御装置１２０の電源監視部１２３が、インタフェース部１２２経由でこの情報を受信し、ＴＶ１３０の電源がオンであるか否かを判定する。
【００６１】
ステップＳ２０５において、ＴＶ１３０の電源がオンであると判定された場合（ステップＳ２０５においてＹＥＳの場合）、表示先選択部１２７は、番組情報配信システム１０２から取得した嗜好対象番組に関連する番組情報をインタフェース部１２２経由でＴＶ１３０に送信して表示部１３６に表示し（Ｓ２０６）、ＴＶ１３０の電源がオフであると判定された場合（ステップＳ２０５においてＮＯの場合）、表示制御装置１２０自身の表示部１２８に出力して表示させ（Ｓ２０７）、嗜好番組情報取得処理を完了する（Ｓ２０８）。
【００６２】
なお、表示制御装置１２０とＴＶ１３０を接続する方法としては、ＨＤＭＩ−ＣＥＣ（Ｈｉｇｈ−Ｄｅｆｉｎｉｔｉｏｎ  Ｍｕｌｔｉｍｅｄｉａ  Ｉｎｔｅｒｆａｃｅ−Ｃｏｍｓｕｍｅｒ  Ｅｌｅｃｔｏｒｎｉｃｓ  Ｃｏｎｔｒｏｌ）やＩＰ（Ｉｎｔｅｒｎｅｔ  Ｐｒｏｔｏｃｌ）等で実現可能であるが、特に規定しない。
【００６３】
次に、図３を用いて、番組情報の表示タイミングを制御する場合の表示制御装置１２０の処理の流れを説明する。なお、図３は、本発明の実施の形態１に係る表示制御装置が番組情報の表示タイミングを制御する場合の処理の流れを示すフローチャートである。
【００６４】
図３において、図２との相違点は、表示タイミングの確認処理（Ｓ３０５）の追加のみである。すなわち、ステップＳ３０１〜ステップＳ３０４は、それぞれ図２のステップＳ２０１〜ステップＳ２０４と同じ処理ステップであり、ステップＳ３０６〜ステップＳ３０９は、それぞれ図２のステップＳ２０５〜ステップＳ２０８と同じ処理ステップであるので、ここでは説明を省略する。
【００６５】
ステップＳ３０４において、番組情報取得部１２６が嗜好対象番組に関連する番組情報を取得すると、表示先選択部１２７は、予め定めた取り決めに基づき、番組情報取得部１２６が取得した番組情報の表示タイミングであるか否かを判定する（Ｓ３０５）。
【００６６】
ステップＳ３０５において、表示タイミングであると判定された場合（ステップＳ３０５においてＹＥＳの場合）はステップＳ３０６に移行して、電源監視部１２３がＴＶ１３０の電源がオンであるか否かを判定し、表示タイミングでないと判定された場合（ステップＳ３０５においてＮＯの場合）はステップＳ３０５に戻って、再び表示タイミングであるか否かを判定する。
【００６７】
表示タイミングとしては、例えば、番組の放送開始と同時時刻、あるいは放送開始の少し前の時刻（例えば、５秒前の時刻）などのように、表示しようとしている番組情報とリンクする番組の放送開始時刻と連動するタイミングなどが考えられる。このように、表示タイミングを予め定めておくことにより、表示先選択部１２７は、ステップＳ３０５において表示タイミングであるか否かを判定することができる。また、表示タイミングを放送開始時刻に連動させることで、ユーザが視聴しやすいタイミングで番組情報を表示させることが可能となる。
【００６８】
以上のように、ＴＶ１３０（第１の表示装置）の電源がオンの場合はＴＶ１３０にユーザの嗜好に合った番組情報を表示させ、ＴＶ１３０の電源がオフの場合はＴＶ１３０以外の第２の表示装置（または、第２の表示手段）にユーザの嗜好に合った番組情報を表示させることにより、ＴＶ１３０の電源オン・オフの如何にかかわらず、ユーザの嗜好に合った番組情報の表示や、ユーザの嗜好に応じた番組の視聴促進情報などの表示についても対応でき、さらに、ユーザが、ＴＶ１３０において、テレビ視聴時に合わせて番組に関する情報も視聴することを所望する場合には、番組に関する情報も視聴することが可能となる表示制御装置を提供することが可能となる。
【００６９】
なお、ＴＶ１３０では、インタフェース部１３２経由で外部装置（ここでは表示制御装置１２０）から制御信号が入力された場合、表示制御部１３５は、受信部１３１で受信した放送番組を入力された表示制御信号に基づいて加工し、表示部１３６に表示する。例えば、表示制御装置１２０から制御信号とともにテキスト情報などの番組情報が入力された場合には、表示制御部１３５は、入力された番組情報を放送番組に半透過状態で多重して表示する、あるいはテキスト情報をスーパーインポーズやクローズドキャプションの文字情報として表示する、あるいは２画面表示に切り替えて１画面に放送番組を残りの１画面に番組情報を表示する、あるいは番組情報だけを表示する、などのように該表示制御信号に基づいて加工し、表示部１３６に表示する。
【００７０】
また、表示制御装置１２０から情報を入力する手段および表示制御信号を送信する手段としては、ＨＤＭＩ−ＣＥＣなどで実現可能であるが、特に規定しない。
【００７１】
また、ＴＶ１３０の電源がオフの場合、表示制御装置１２０の表示先選択部１２７は、ユーザがＴＶを視聴しない状態であると判断して、番組情報をＴＶ１３０に出力しないだけでなく、表示部１２８にも出力しないように制御することも可能である。
【００７２】
また、表示制御装置１２０の接続先である放送受信装置としては、ＴＶ以外にもパソコンなどの表示手段を持つ放送受信装置であってもよい。
【００７３】
また、本発明の実施の形態１においては、ＴＶ１３０の嗜好情報管理部１３３がユーザの嗜好情報の抽出を行ったが、嗜好情報管理部１３３がユーザ（視聴者）の視聴履歴や視聴時間などの情報を管理し、表示制御装置１２０の嗜好情報取得部１２４が、嗜好情報管理部１３３から受け取ったユーザの視聴履歴や視聴時間などの情報を基に、嗜好番組情報の抽出を行うようにしてもよい。
【００７４】
また、検索部１２５がユーザの嗜好対象番組の抽出を行ってもよいし、検索部１２５がユーザの嗜好番組情報のキーワード（ユーザがよく見るジャンルや曜日、時間帯、出演者など）を番組情報配信システム１０２に送信し、番組情報配信システム１０２が、検索部１２５から受け取ったユーザの嗜好番組情報のキーワードを基に、ユーザの嗜好対象番組を抽出してもよいし、番組情報配信システム１０２が、検索部１２５から受け取ったユーザの嗜好番組情報のキーワードを基に嗜好対象番組候補を抽出し、番組情報取得部１２６が、番組情報配信システム１０２から受け取ったユーザの嗜好対象番組候補を基に、嗜好対象番組を抽出するようにしてもよい。
【００７５】
（実施の形態２）
図４は、本発明の実施の形態２に係る表示制御装置の構成を示すブロック図である。
【００７６】
図４において、本発明の実施の形態２に係る表示制御装置１４０が、図１に示される本発明の実施の形態１に係る表示制御装置１２０と相異する点は、表示部１２８を備えていないことのみであり、その他の構成要素は表示制御装置１２０と同様であるので同じ符号を付し、ここでは説明を省略する。
【００７７】
表示装置１５０は、少なくとも図１に示される表示部１２８と同等の機能を備え、表示制御装置１４０のインタフェース部１２２および表示先選択部１２７に接続され、表示先選択部１２７から出力される番組情報などが表示される。また、表示装置１５０は、表示制御装置１４０により、ＴＶ１３０の電源オン・オフなどの状況に応じて表示や電源のオン・オフ状態が制御される。
【００７８】
以上のように構成することにより、本発明の実施の形態１と同様の効果を発揮することが可能である。
【００７９】
なお、表示装置１５０は、ＴＶ１３０と同等の構成でもよいが、放送の受信部は必ずしも必要ではないので、パソコンなどであってもかまわない。また、表示装置１５０の表示部は、ＴＶ１３０より小型で低消費電力であることが望ましく、その方が省電力効果は大きい。
【００８０】
また、本発明は、本発明の実施の形態１および２における各手段を備える表示制御装置として提供することができるばかりでなく、表示制御装置が具備する各手段を備える表示制御集積回路や、表示制御装置が具備する各手段を各ステップとする表示制御方法、および、その表示制御方法をコンピュータに実行させる表示制御プログラムを提供することも可能である。そして、その表示制御プログラムは、ＣＤ−ＲＯＭ（Ｃｏｍｐａｃｔ  Ｄｉｓｃ−Ｒｅａｄ  Ｏｎｌｙ  Ｍｅｍｏｒｙ）などの記録媒体やインターネットを介して流通させることができる。
【産業上の利用可能性】
【００８１】
本発明に係る表示制御装置は、ユーザの嗜好に応じた番組の情報を表示する際に、ＴＶなど放送を受信する表示装置の電源状態に応じて番組情報の表示先を選択することが可能となり、ユーザの視聴状態に応じた番組情報提供などに有用である。
【符号の説明】
【００８２】
１００  センター装置
１０１  放送番組配信システム
１０２  番組情報配信システム
１１０  ネットワーク
１２０  表示制御装置
１２１  通信部
１２２  インタフェース部
１２３  電源監視部
１２４  嗜好情報取得部
１２５  検索部
１２６  番組情報取得部
１２７  表示先選択部
１２８  表示部
１３０  ＴＶ
１３１  受信部
１３２  インタフェース部
１３３  嗜好情報管理部
１３４  電源管理部
１３５  表示制御部
１３６  表示部
１４０  表示制御装置
１５０  表示装置
５１０  ＣＰＵ
５１１  入力信号検出部
５１２  タイマ
５１３  予約情報処理部
５１４  テレビ番組表画面表示部
５１５  番組予約設定部
５１６  番組予約実行部
５１７  視聴予約変更部
５１５１  番組予約画面表示部
５１５２  予約情報記録部
５１６１  タイマセット部
５１６２  予約制御部
５１７１  予約情報判定部
５１７２  視聴予約変更画面表示部
５１７３  予約情報書換部
【図１】
2010251888.tif 000003
【図２】
2010251888.tif 000004
【図３】
2010251888.tif 000005
【図４】
2010251888.tif 000006
【図５】
2010251888.tif 000007